(57)【特許請求の範囲】
【請求項１】
ＬＥＤと、第１表面に前記ＬＥＤが実装される長尺の実装基板と、筒状であって内部に前記実装基板が挿入される筐体と、押圧部材と、を備え、
前記筐体は、前記ＬＥＤからの光を外部に出射させる光出射部と、前記実装基板の短手方向の端縁部における前記第１表面を支持する支持部と、を有しており、
前記押圧部材は、前記実装基板における前記第１表面と反対の第２表面と、該第２表面に対向する前記筐体の内壁面との間に配置され、前記実装基板を前記支持部に向かって弾性力で押し圧し、
前記押圧部材は、前記実装基板に保持されており、
前記内壁面に対し弾性力を付与する弾性部を有し、
前記筐体は、前記筐体の長手方向に沿って前記押圧部材のスライドを案内し、かつ前記筐体の長手方向と前記実装基板の厚み方向とに直交する方向への前記弾性部の移動を規制する規制部を有し、
前記押圧部材は、前記筐体の長手方向に沿って設けられた一対の前記弾性部を、前記筐体の長手方向と前記実装基板の厚み方向とに直交する幅方向の両側に備えていることを特徴とする照明装置。
【請求項２】
前記弾性部は、前記筐体の長手方向に沿って延びるように設けられており、前記実装基板の厚み方向に沿って撓むように構成されたばね構造であることを特徴とする請求項１に記載の照明装置。
【請求項３】
前記実装基板は、少なくとも一対設けられており、前記押圧部材は、一対の前記実装基板を連結することを特徴とする請求項１又は２に記載の照明装置。
【発明の詳細な説明】
【技術分野】
【０００１】
本発明は、照明装置に関する。
【背景技術】
【０００２】
近年、ＬＥＤ(light emitting diode)が実装された実装基板を備える照明装置が利用されている。
【０００３】
この種の照明装置としては、発光素子と、発光素子が表面側に実装される長尺状の基板と、基板を取り付ける取付部材と、略円筒状に形成され内側に突出する一対の支持レールで取付部材を支持する本体と、を備えた構成が知られている（たとえば、特許文献１）。
【０００４】
特許文献１では、取付部材の基板挿入溝にスライドして挿入された基板が表面側支持部でかしめられて固定されているので、取付ねじ等の固定部材を不要とし、部品点数を少なくして、組立作業効率の向上を図ることができる、とされている。
【先行技術文献】
【特許文献】
【０００５】
【特許文献１】特開２０１３−１５２９０１号公報
【発明の概要】
【発明が解決しようとする課題】
【０００６】
ところで、照明装置では、比較的に簡単な構成で、より信頼性の高い構成が求められており、上述の特許文献１の構成だけでは十分でなく、更なる改良が求められている。
【０００７】
本発明の目的は、比較的に簡単な構成で、より信頼性の高い照明装置を提供することにある。
【課題を解決するための手段】
【０００８】
本発明の照明装置は、ＬＥＤと、実装基板と、筐体と、押圧部材と、を備えている。上記実装基板は、第１表面に上記ＬＥＤが実装されている。上記実装基板は、長尺の外形形状をしている。上記筐体は、筒状の外形形状をしている。上記筐体は、内部に上記実装基板が挿入されるように構成されている。上記筐体は、光出射部と、支持部と、を有している。上記光出射部は、上記ＬＥＤからの光を外部に出射させる。上記支持部は、上記実装基板の短手方向の端縁部における上記第１表面を支持することができるように構成されている。上記押圧部材は、上記実装基板における上記第１表面と反対の第２表面と、当該第２表面に対向する上記筐体の内壁面との間に配置されている。上記押圧部材は、上記実装基板を上記支持部に向かって弾性力で押し圧し、上記押圧部材は、上記実装基板に保持されており、上記内壁面に対し弾性力を付与する弾性部を有し、上記筐体は、上記筐体の長手方向に沿って上記押圧部材のスライドを案内し、かつ上記筐体の長手方向と上記実装基板の厚み方向とに直交する方向への上記弾性部の移動を規制する規制部を有し、上記押圧部材は、上記筐体の長手方向に沿って設けられた一対の上記弾性部を、上記筐体の長手方向と上記実装基板の厚み方向とに直交する幅方向の両側に備えていることを特徴とする。
【発明の効果】
【０００９】
本発明の照明装置は、比較的に簡単な構成で、より信頼性を高くすることができる。
【図面の簡単な説明】
【００１０】
【図１】図１は、本発明の実施形態１の照明装置を示す断面図である。
【図２】図２は、同上の照明装置を示し、図２Ａは、一部破断した正面図、図２Ｂは、図２Ａの要部を拡大した断面図である。
【図３】図３は、同上の照明装置の要部を示す一部破断した背面図である。
【図４】図４は、同上の照明装置の要部を示す一部破断した側面図である。
【図５】図５は、同上の照明装置の要部を示す斜視図である。
【図６】図６は、同上の照明装置の要部を示す一部破断した斜視図である。
【図７】図７は、本発明の実施形態２の冷蔵ショーケースを説明する正面図である。
【図８】図８は、同上の冷蔵ショーケースに用いられる照明装置を示し、図８Ａは取付部材に取り付けられた状態の一部省略した側面図、図８Ｂは取付部材に取り付けられた別の状態の一部省略した側面図である。
【発明を実施するための形態】
【００１１】
（実施形態１）
以下では、本実施形態の照明装置３０について、図１ないし図６に基づいて説明する。図中においては、同じ部材に対し、同じ符号を付して重複する説明を省略する。各図面が示す部材の大きさや位置関係は、説明を明確にするために誇張していることがある。以下の説明において、本実施形態を構成する各要素は、複数の要素を一の部材で構成して一の部材で複数の要素を兼用する態様としてもよいし、一の部材の機能を複数の部材で分担して実現してもよい。
【００１２】
本実施形態の照明装置３０は、図１及び図２に示すように、ＬＥＤ１と、実装基板２と、筐体３２と、押圧部材４と、を備えている。実装基板２は、第１表面２ａａにＬＥＤ１が実装されている。実装基板２は、長尺の外形形状をしている。筐体３２は、筒状の外形形状をしている。筐体３２は、内部に実装基板２が挿入されるように構成されている。筐体３２は、光出射部３２ａと、支持部３２ｆと、を有している。光出射部３２ａは、ＬＥＤ１からの光を外部に出射させる。支持部３２ｆは、実装基板２の短手方向の端縁部における第１表面２ａａを支持することができるように構成されている。押圧部材４は、実装基板２における第１表面２ａａと反対の第２表面２ａｂと、第２表面２ａｂに対向する筐体３２の内壁面３２ａａとの間に配置されている。押圧部材４は、実装基板２を支持部３２ｆに向かって弾性力で押し圧する。
【００１３】
本実施形態の照明装置３０は、実装基板２を支持部３２ｆに向かって弾性力で押し圧する押圧部材４を備えた比較的に簡単な構成で、より信頼性を高くすることができる。
【００１４】
以下では、本実施形態の照明装置３０の各構成について詳細に説明する。
【００１５】
本実施形態の照明装置３０は、図２に示すように、ＬＥＤ１と実装基板２と押圧部材４と筐体３２とに加え、電源ケーブル３と、電子部品５と、端子部６と、コネクタ７と、エンドキャップ３３と、を備えている。
【００１６】
ＬＥＤ１は、図２Ｂに示すように、ＬＥＤチップ１ａと、パッケージ１ｂと、封止部１ｃと、を備えている。パッケージ１ｂは、ＬＥＤチップ１ａを収容する凹部を備えている。封止部１ｃは、ＬＥＤチップ１ａを覆うように凹部に充填されている。封止部１ｃは、透光性封止材料を用いることができる。透光性封止材料は、たとえば、シリコーン樹脂、エポキシ樹脂やガラスなどを用いることができる。封止部１ｃには、ＬＥＤチップ１ａから放射される光により励起されて、蛍光を放射する蛍光体が含有されている。
【００１７】
ＬＥＤ１は、たとえば、ＬＥＤチップ１ａから放射される青色光と、蛍光体から放射される黄色光との混色により、白色光を放射させることができる。ＬＥＤ１は、ＬＥＤチップ１ａや蛍光体の種類を代えることで、白色光だけでなく、たとえば、電球色の光を放射できるように構成されていてもよい。
【００１８】
実装基板２は、矩形平板状の外形形状をしている。実装基板２は、第１表面２ａａ及び第２表面２ａｂに所定形状の配線が形成されている。実装基板２では、第１表面２ａａ側の配線と第２表面２ａｂ側の配線とが、厚み方向に貫通する貫通配線により電気的に接続されている。実装基板２は、ＬＥＤ１、電子部品５、端子部６及びコネクタ７の実装面を除いて、配線を覆うようにレジスト膜が形成されている。実装基板２は、第１表面２ａａにおいて、長手方向に沿って複数個のＬＥＤ１が、短手方向における中央部に実装されている。実装基板２では、ＬＥＤ１が等間隔に並ぶように配置されている。実装基板２には、たとえば、２１個のＬＥＤ１を実装させることができる。
【００１９】
実装基板２は、はんだにより、第１表面２ａａに形成された配線の一部に、ＬＥＤ１が実装されている。実装基板２は、配線により、複数個のＬＥＤ１を電気的に直列接続させている。実装基板２は、複数個のＬＥＤ１を電気的に直列接続させる構成だけに限られず、電気的に並列接続させる構成でもよいし、直並列接続させる構成でもよい。
【００２０】
本実施形態の照明装置３０では、図２に示すように、２つの実装基板２が用いられている。以下では、２つの実装基板２のうち、一方の実装基板２を第１実装基板２１と称し、他方の実装基板２を第２実装基板２２と称することもある。
【００２１】
第１実装基板２１は、第１表面２ａａにおいて、長手方向の一端側における短手方向の両端部それぞれに、端子部６が実装されている。第１実装基板２１は、第１表面２ａａにおいて、長手方向の他端側における短手方向の両端部それぞれに、コネクタ７が実装されている。第１実装基板２１のコネクタ７は、たとえば、雄コネクタ７ａが用いられる。
【００２２】
第２実装基板２２は、第１表面２ａａにおいて、長手方向の一端側における短手方向の両端部それぞれに、コネクタ７が実装されている。第２実装基板２２のコネクタ７は、第１実装基板２１の雄コネクタ７ａと接続できるように、雌コネクタ７ｂが用いられている。第２実装基板２２のコネクタ７は、第１実装基板２１のコネクタ７が雌コネクタ７ｂの場合、雄コネクタ７ａが用いられればよい。第２実装基板２２は、第１表面２ａａにおいて、長手方向の他端側における短手方向の両端部それぞれにコネクタ７が実装されていることが好ましい。第２実装基板２２は、長手方向の一端側及び他端側の両側にコネクタ７を備えることで、複数の第２実装基板２２を電気的に接続することができる。
【００２３】
第１実装基板２１は、長手方向の他端側において、短手方向の中央部に、厚み方向に貫通する貫通孔２ａｃを備えている。第２実装基板２２は、長手方向の一端側において、短手方向の中央部に、厚み方向に貫通する貫通孔２ａｃを備えている。第１実装基板２１及び第２実装基板２２は、長手方向の一端側及び他端側それぞれにおいて、短手方向の中央部に、厚み方向に貫通する貫通孔２ａｃを備えていてもよい。
【００２４】
実装基板２は、はんだにより、複数種の電子部品５が配線の一部に実装されている。実装基板２は、配線を介して、複数個のＬＥＤ１と複数種の電子部品５とを電気的に接続させている。実装基板２は、はんだにより、端子部６が配線の一部に実装されている。実装基板２は、配線を介して、複数個のＬＥＤ１と端子部６とを電気的に接続させている。実装基板２は、はんだにより、コネクタ７が配線の一部に実装されている。実装基板２は、配線を介して、複数個のＬＥＤ１とコネクタ７とを電気的に接続させている。実装基板２は、たとえば、ガラスエポキシ樹脂基板を用いることができる。実装基板２は、ガラスエポキシ樹脂基板だけに限られず、たとえば、セラミック基板、金属ベースプリント配線板などを用いてもよい。
【００２５】
電源ケーブル３は、図２Ａに示すように、２本の電線３ａと、保護チューブ３ｂと、プラグコネクタ３ｃと、を備えている。電線３ａは、芯線が被膜で被覆された被覆電線が用いられている。電線３ａは、第１電線３ｓと、第２電線３ｔと、を備えている。第１電線３ｓは、ＬＥＤ１のアノードと電気的に接続される。第２電線３ｔは、ＬＥＤ１のカソードと電気的に接続される。保護チューブ３ｂは、第１電線３ｓ及び第２電線３ｔを覆って保護するように設けられている。保護チューブ３ｂは、筒状の熱収縮チューブが用いられている。プラグコネクタ３ｃは、一端が端子部６と接続される電線３ａの一端とは反対側の先端部に設けられている。プラグコネクタ３ｃは、照明装置３０の外部に設けられた直流電源装置における出力ケーブルの先端に設けられたレセプタクルコネクタと挿抜できるように構成されている。直流電源装置は、たとえば、スイッチング電源回路を有し、電力系統から供給される交流電圧を、直流電圧に変換して出力できるように構成されていればよい。
【００２６】
押圧部材４は、図１ないし図６に示すように、ベース部４ａと、突出部４ｂと、ガイド部４ｃと、弾性部４ｄと、を備えている。ベース部４ａは、矩形平板状の外形形状をしている。ベース部４ａは、短手方向が実装基板２の短手方向よりも短く形成されている。ベース部４ａは、長手方向が実装基板２の長手方向よりも短く形成されている。ベース部４ａは、長手方向に沿って、一対の切欠部４ｅを備えている。一対の切欠部４ｅは、図５に示すように、ベース部４ａの短手方向の両側それぞれに設けられている。
【００２７】
突出部４ｂは、ベース部４ａの第１主面４ａａから突出するように設けられている。突出部４ｂは、円柱状の外形形状をしている。突出部４ｂは、ベース部４ａの短手方向の中央部に設けられている。突出部４ｂは、ベース部４ａの長手方向の両端側それぞれに設けられている。突出部４ｂは、実装基板２の貫通孔２ａｃよりも若干小さい外形形状に形成されている。押圧部材４は、一対の突出部４ｂのうち、一方の突出部４ｂが第１実装基板２１に設けられた貫通孔２ａｃに挿入され、他方の突出部４ｂが隣接する第２実装基板２２の貫通孔２ａｃに挿入されることができるように構成されている。押圧部材４は、一対の突出部４ｂを利用して、隣接する実装基板２を連結させることができる。
【００２８】
ガイド部４ｃは、ベース部４ａの第１主面４ａａと反対の第２主面４ａｂから突出するように設けられている。ガイド部４ｃは、ベース部４ａの短手方向の両端それぞれにおいて、ベース部４ａの長手方向に沿って設けられている。ガイド部４ｃは、第１ガイド４ｃａと、第２ガイド４ｃｂと、第３ガイド４ｃｃと、を備えている。第１ガイド４ｃａは、ベース部４ａの長手方向に沿った一端部に設けられている。第１ガイド４ｃａは、ベース部４ａの短手方向の両側に設けられている。第１ガイド４ｃａは、ベース部４ａの長手方向に沿った角柱状の外形形状をしている。第１ガイド４ｃａは、ベース部４ａの長手方向の一端に近づくにつれ、ベース部４ａの厚み方向に沿った厚みが薄くなるように、第１傾斜面４ｃ１を有している。第２ガイド４ｃｂは、ベース部４ａの長手方向に沿った中央部に設けられている。第２ガイド４ｃｂは、ベース部４ａの短手方向の両側に設けられている。第２ガイド４ｃｂは、ベース部４ａの長手方向に沿った長さが第１ガイド４ｃａよりも長い角柱状の外形形状をしている。第３ガイド４ｃｃは、ベース部４ａの長手方向に沿った他端部に設けられている。第３ガイド４ｃｃは、ベース部４ａの短手方向の両側に設けられている。第３ガイド４ｃｃは、ベース部４ａの長手方向に沿った長さが、第２ガイド４ｃｂよりも短い角柱状の外形形状をしている。第３ガイド４ｃｃは、ベース部４ａの長手方向の他端に近づくにつれ、ベース部４ａの厚み方向に沿った厚みが薄くなるように、第２傾斜面４ｃ２を有している。第１ガイド４ｃａと第２ガイド４ｃｂと第３ガイド４ｃｃとは、ベース部４ａの長手方向に沿って、一直線状に配置されている。
【００２９】
押圧部材４は、ガイド部４ｃが第１傾斜面４ｃ１及び第２傾斜面４ｃ２を有していることで、筐体３２の内部へ実装基板２と共に押圧部材４をスライドさせて挿入及び抜去させることを容易に行うことができる。
【００３０】
弾性部４ｄは、ベース部４ａの第２主面４ａｂから外方へ突出するように設けられている。弾性部４ｄは、図６に示すように、ベース部４ａの長手方向とベース部４ａの厚み方向とに直交する側面視において、Ｌ字状の外形形状をしている。押圧部材４は、複数の弾性部４ｄを有している。押圧部材４は、複数の弾性部４ｄが４点以上設けられていることが好ましい。本実施形態の照明装置３０では、複数の弾性部４ｄが４点以上設けられていることで、安定して実装基板２を押し圧することができる。複数の弾性部４ｄのうち、一つの弾性部４ｄは、ベース部４ａの長手方向における第２ガイド４ｃｂの一端と連結されるように一体的に形成されている。複数の弾性部４ｄのうち、一つの弾性部４ｄは、ベース部４ａの長手方向における第３ガイド４ｃｃの一端と連結されるように一体的に形成されている。
【００３１】
弾性部４ｄは、ベース部４ａの厚み方向に沿って、撓むことができるように構成されている。弾性部４ｄは、先端に弾接部４ｄａが設けられている。弾接部４ｄａは、ベース部４ａの短手方向に沿って設けられた半円柱状の外形形状をしている。弾接部４ｄａは、半円柱状の外形形状をしているので、筐体３２の内部へ実装基板２と押圧部材４とを共にスライドさせて挿入及び抜去させることを、より容易にすることができる。弾性部４ｄは、ベース部４ａの厚み方向において、ガイド部４ｃよりも弾接部４ｄａが外方へ突出するように構成されている。弾性部４ｄは、実装基板２が筐体３２の支持部３２ｆに支持された状態で、筐体３２の内壁面３２ａａに弾接部４ｄａが接することができるように形成されている。弾性部４ｄは、実装基板２が筐体３２の支持部３２ｆに支持され、筐体３２の内壁面３２ａａに弾接部４ｄａが接した状態で、弾性変形できるように構成されている。図４では、撓んだ状態の弾性部４ｄを一点鎖線で例示している。弾性部４ｄは、ベース部４ａの厚み方向に撓んだ際、ベース部４ａの切欠部４ｅに収容できるように構成されている。
【００３２】
押圧部材４は、ベース部４ａとガイド部４ｃと弾性部４ｄと突出部４ｂとが一体的に形成されている。押圧部材４は、たとえば、ポリカーボネート樹脂などの樹脂材料により形成させることができる。押圧部材４は、樹脂材料により形成する場合、射出成形により形成することができる。押圧部材４は、樹脂材料により形成される場合だけに限られず、金属材料により形成されてもよい。押圧部材４は、ベース部４ａとガイド部４ｃと弾性部４ｄと突出部４ｂとが一体的に形成された構成だけに限られない。押圧部材４は、たとえば、ベース部４ａとガイド部４ｃと突出部４ｂとを樹脂材料で形成させ、弾性部４ｄを金属材料で形成させることもできる。
【００３３】
押圧部材４は、照明装置３０に１つだけ設けられる場合に限られず、長尺の実装基板２の長手方向に沿って、適宜に複数設けられてもよい。押圧部材４は、長尺の実装基板２の端部に設けられてもよいし、実装基板２の長手方向の中央部に設けられてもよい。押圧部材４は、実装基板２の長手方向に沿って適宜の位置に配置されればよい。押圧部材４は、長尺の実装基板２の長手方向よりも短く形成されていることで、筐体３２への挿入抵抗を小さくしスライドさせやすくすることができる。
【００３４】
複数種の電子部品５は、相互に電気的に接続されてＬＥＤ１に定電流を供給する定電流回路を構成している。電子部品５は、たとえば、抵抗やトランジスタなどが挙げられる。定電流回路は、たとえば、７個のＬＥＤ１の直列回路ごとに１つ設けられている。定電流回路は、実装基板２の第１表面２ａａに形成されている。照明装置３０では、たとえば、２１個のＬＥＤ１が実装基板２に実装されている場合、３つの定電流回路が形成される。３つの定電流回路は、全て共通の回路構成で形成されている。３つの定電流回路は、一対のコネクタ７に対して、電気的に並列接続されている。３つの定電流回路それぞれは、所定の直流電圧が印加される場合、ＬＥＤ１に流れる電流を一定にさせるように構成されている。
【００３５】
端子部６は、配線によりＬＥＤ１へ給電する電路の一部を構成するように構成されている。端子部６は、電線３ａの一端と電気的に接続されるように構成されている。端子部６は、電線３ａの芯線と電気的に接続できるように構成されている。端子部６は、工具を用いずに電線３ａの接続を行うことができる速結端子で構成されている。端子部６は、速結端子だけに限られず、コネクタで構成されてもよい。実装基板２では、必ずしも端子部６が設けられている必要がなく、はんだなどにより電線３ａの一端が直接的に実装基板２における配線の一部と電気的に接続される構成でもよい。
【００３６】
コネクタ７は、実装基板２の長手方向の両端に備えられてもよいし、実装基板２の長手方向の一端だけに備えられていてもよい。実装基板２は、たとえば、長手方向の一方のコネクタ７を雄コネクタ７ａとし、長手方向の他方のコネクタ７を雌コネクタ７ｂとすることができる。照明装置３０は、隣接する実装基板２の一方の雄コネクタ７ａと隣接する実装基板２の他方の雌コネクタ７ｂとが接続されれば、一方の実装基板２から他方の実装基板へ給電させることができる。言い換えれば、実装基板２は、長手方向の両端に設けられたコネクタ７を利用して、隣接する実装基板２への送り配線に利用することができる。照明装置３０は、長手方向の両端にコネクタ７が設けられた実装基板２を実装基板２の長手方向に連結させることで、３つ以上の実装基板２に実装されたＬＥＤ１を点灯できるように構成することができる。
【００３７】
筐体３２は、筒状の外形形状をしている。筐体３２は、内部に実装基板２をスライドさせて挿入できるように構成されている。筐体３２は、図２に示すように、長手方向の両端部にエンドキャップ３３が設けられている。本実施形態の照明装置３０では、筐体３２は、光出射部３２ａと支持部３２ｆに加え、図１に示すように、底壁３２ｂと、一対の側壁３２ｃと、を備えている。
【００３８】
光出射部３２ａは、ＬＥＤ１から放射される光を外部に出射できるように、ＬＥＤ１から放射される光に対して透光性を有している。光出射部３２ａは、半円筒状の外形形状をしている。光出射部３２ａの内周面には、複数の凹凸３２ｄが形成されている。照明装置３０では、ＬＥＤ１から放射される光が、光出射部３２ａを透過する際に、複数の凹凸３２ｄで拡散される。
【００３９】
一対の側壁３２ｃは、光出射部３２ａの両端から延びるように、光出射部３２ａと一体に形成されている。側壁３２ｃには、図１に示すように、筐体３２の長手方向から見て、外方に向かって突出するＶ字形状の引掛部３２ｅを備えている。側壁３２ｃには、実装基板２を支持する支持部３２ｆが形成されている。支持部３２ｆは、平板状の外形形状をしている。支持部３２ｆは、側壁３２ｃに沿って、長尺に形成されている。支持部３２ｆは、筐体３２の長手方向から見て、側壁３２ｃの内側面における中央部から光出射部３２ａと反対の底壁３２ｂ側に突出するように設けられている。実装基板２は、ＬＥＤ１を光出射部３２ａに対向させ、短手方向の両端縁部それぞれを支持部３２ｆに載せ置かれるようにして、支持部３２ｆに支持される。
【００４０】
底壁３２ｂは、長尺の矩形板状の外形形状をしている。底壁３２ｂは、短手方向の両端で側壁３２ｃと連結されるように形成されている。底壁３２ｂは、筐体３２の長手方向から見て、中央部に凹部３２ｇが形成されている。凹部３２ｇは、底壁３２ｂの長手方向に沿って、底壁３２ｂの全長に渡って形成されている。凹部３２ｇの両端には、底壁３２ｂの厚み方向に沿って、外方に向かって突出する第１突部３２ｈが形成されている。第１突部３２ｈは、矩形板状の外形形状をしている。第１突部３２ｈは、底壁３２ｂの長手方向に沿って、底壁３２ｂの全長に渡って形成されている。
【００４１】
底壁３２ｂには、底壁３２ｂの厚み方向に沿って、光出射部３２ａに向かって突出する第２突部３２ｊを備えている。第２突部３２ｊは、矩形板状の外形形状をしている。第２突部３２ｊは、底壁３２ｂの長手方向に沿って、全長に渡って形成されている。第２突部３２ｊは、底壁３２ｂの短手方向において、凹部３２ｇの外側に設けられている。一対の第２突部３２ｊは、凹部３２ｇを挟むように対向して設けられている。筐体３２は、一対の第１突部３２ｈ及び一対の第２突部３２ｊにより、機械的強度の向上が図られている。筐体３２は、長手方向と直交する断面視において、第２突部３２ｊと底壁３２ｂと凹部３２ｇと囲まれた領域で凹所３２ｃｃが形成されている。凹所３２ｃｃは、筐体３２の長手方向に沿って設けられている。凹所３２ｃｃは、押圧部材４のガイド部４ｃ及び弾性部４ｄを収容できるように設けられている。凹所３２ｃｃは、ガイド部４ｃ及び弾性部４ｄが収容されることで、筐体３２の内部への実装基板２の挿入にあたって、押圧部材４のスライドを案内する。凹所３２ｃｃは、ガイド部４ｃ及び弾性部４ｄが収容されることで、筐体３２の長手方向と直交する方向への弾性部４ｄの移動を規制する規制部３２ｋとして機能する。凹所３２ｃｃの内底面は、弾接部４ｄａと接する筐体３２の内壁面３２ａａの一部を構成している。
【００４２】
筐体３２は、光出射部３２ａと底壁３２ｂと側壁３２ｃと支持部３２ｆとが一体的に形成されている。筐体３２は、透光性を有する樹脂材料によって形成されている。筐体３２は、たとえば、ポリカーボネート樹脂やアクリル樹脂などの樹脂材料を用いて形成することができる。筐体３２は、たとえば、押出成形により形成することができる。筐体３２は、二色成形で形成されていてもよい。筐体３２は、透光性の樹脂材料に光拡散材を含有させて形成されていてもよい。筐体３２は、光出射部３２ａと底壁３２ｂと側壁３２ｃと支持部３２ｆとが一体的に形成された構成だけに限られず、別体に形成された構成でもよい。筐体３２は、たとえば、少なくともＬＥＤ１からの光を外部に出射できるように、光出射部３２ａを透光性材料で形成し、光出射部３２ａ以外をアルミニウム材料で形成させることもできる。
【００４３】
エンドキャップ３３は、図２に示すように、筐体３２の長手方向の端部に設けられる。エンドキャップ３３は、有底筒状の外形形状に形成されている。エンドキャップ３３は、筐体３２の端部に装着できるように、筐体３２の端部の外形よりも若干大きい外形形状に形成されている。エンドキャップ３３は、筐体３２に装着された場合、筐体３２の外側面に密着する。
【００４４】
照明装置３０は、図２に示すように、２つのエンドキャップ３３のうちの片方において、電源ケーブル３の電線３ａが挿通される一対の孔が設けられている。エンドキャップ３３は、可撓性を有する材料によって形成されている。エンドキャップ３３の材料としては、たとえば、シリコーン樹脂やウレタン樹脂などが挙げられる。
【００４５】
以下では、照明装置３０の組立工程について簡単に説明する。
【００４６】
組立工程では、ＬＥＤ１、電子部品５、端子部６及びコネクタ７を第１表面２ａａに実装した実装基板２を予め準備する。組立工程では、エンドキャップ３３の孔に挿通させた電線３ａの一端側の芯線を、端子部６と電気的に接続させる。
【００４７】
組立工程では、一対の実装基板２のうち、第１実装基板２１の雄コネクタ７ａを、第２実装基板２２の雌コネクタ７ｂに機械的及び電気的に接続させる。組立工程では、一対の実装基板２のコネクタ７を連結させて長尺にした上で、一対の実装基板２に跨るように押圧部材４を取り付ける。組立工程では、押圧部材４における一方の突出部４ｂが、第１実装基板２１の貫通孔２ａｃに挿入される。組立工程では、押圧部材４の他方の突出部４ｂが第２実装基板２２の貫通孔２ａｃに挿入される。押圧部材４は、実装基板２の貫通孔２ａｃに突出部４ｂを挿入させ、第１主面４ａａが実装基板２の第２表面２ａｂと接するように配置される。
【００４８】
次に、組立工程では、一対の実装基板２に跨るように押圧部材４を取り付けた状態で、実装基板２を一対の支持部３２ｆに載せ置くように、筐体３２の端部から筐体３２の内部に実装基板２が挿入される。組立工程では、押圧部材４は、ガイド部４ｃが筐体３２の凹所３２ｃｃに収容されるように、実装基板２と一緒に筐体３２の内部にスライドさせて挿入される。組立工程では、エンドキャップ３３が筐体３２の長手方向の両端部に取付けられることで、実装基板２を筐体３２と一体的に固定することができる。
【００４９】
照明装置３０は、筐体３２の内部に実装基板２が収容され、筐体３２の両端にエンドキャップ３３がそれぞれ装着されることで組み立てられる。照明装置３０は、電源ケーブル３を介して、直流電源装置から直流電力が供給されることにより、ＬＥＤ１を点灯させることができる。
【００５０】
以下では、本実施形態の照明装置３０が押圧部材４を有する比較的に簡単な構成で、より信頼性を高くすることができることについて説明する。
【００５１】
特許文献１の照明装置では、基板と取付部材とをねじにより固定する代わりに、かしめにより固定することで、組立作業性の向上を図ることができる、としている。しかしながら、特許文献１の照明装置では、かしめにより基板と取付部材とを固定する必要があるため、組立作業性の向上には十分ではない。また、特許文献１の照明装置では、かしめ固定に際して基板が撓む場合がある。特許文献１の照明装置では、基板が撓んだ場合、発光ダイオードと基板との電気接続の信頼性が低下するおそれがある。
【００５２】
ところで、本実施形態と比較する比較例の照明装置としては、組立作業性の向上を図るため、実装基板が筐体に直接挿入されて、筐体に設けた支持体に支持される構成も考えられる。
【００５３】
しかしながら、比較例の照明装置は、実装基板を筐体に挿入させる場合、実装基板の寸法や筐体の寸法の精度ばらつきに起因し筐体と実装基板との隙間が大きくなれば、筐体の内部で筐体と実装基板との相対的な位置が定まらず、実装基板ががたつくおそれがある。また、比較例の照明装置では、実装基板を筐体に挿入する場合、実装基板の寸法や筐体の寸法の精度ばらつきに起因して、実装基板と支持部との隙間が小さすぎれば、実装基板を筐体に挿入させることが難しくなる傾向にある。比較例の照明装置では、実装基板の筐体への挿入が難しい場合、実装基板を筐体に挿入させるにあたって実装基板が撓む場合がある。
【００５４】
特に、比較例の照明装置は、長尺の実装基板を筒状の筐体の内部にスライドさせて挿入させる場合、挿入させるために大きな力が必要となれば、組立作業性が低下する傾向にある。
【００５５】
照明装置は、長尺の実装基板を筒状の筐体の内部にスライドさせて挿入させるにあたり、挿入させるために大きな力が必要な場合、組立作業性が低下するだけでなく、実装基板が撓み易い傾向にある。
【００５６】
比較例の照明装置では、実装基板が撓んだ場合、実装基板と、ＬＥＤ、電子部品、端子部若しくはコネクタと、を電気的に接続しているはんだ接合部に機械的なストレスがかかり、ＬＥＤなどと実装基板との電気的な接触不良または断線を生ずるおそれがある。
【００５７】
本実施形態の照明装置３０は、実装基板２の寸法や筐体３２の寸法に精度ばらつきがあったとしても、弾性力で押し圧する押圧部材４により、筐体３２の内部で実装基板２が、がたつくことを抑制することができる。本実施形態の照明装置３０では、実装基板２を支持部３２ｆに弾性力で押し圧する押圧部材４を備えた比較的簡単な構成で、実装基板２の撓みを抑制することができ、信頼性の低下を抑制することができる。
【００５８】
すなわち、本実施形態の照明装置３０では、押圧部材４は、実装基板２に保持されている。押圧部材４は、弾性部４ｄを有している。弾性部４ｄは、内壁面３２ａａに対し弾性力を付与する。筐体３２は、規制部３２ｋを有している。規制部３２ｋは、筐体３２の長手方向に沿って押圧部材４のスライドを案内する。規制部３２ｋは、筐体３２の長手方向と実装基板２の厚み方向とに直交する方向への弾性部４ｄの移動を規制することが好ましい。
【００５９】
本実施形態の照明装置３０では、押圧部材４が弾性部４ｄを有し、筐体３２が押圧部材４のスライドを案内し、かつ弾性部４ｄの移動を規制する規制部３２ｋを有する比較的に簡単な構成で、実装基板２と筐体３２との相対的な位置決めを行うことができる。
【００６０】
本実施形態の照明装置３０では、押圧部材４は、筐体３２の長手方向に沿って設けられた一対の弾性部４ｄを、筐体３２の長手方向と実装基板２の厚み方向とに直交する幅方向の両側に備えていることが好ましい。
【００６１】
本実施形態の照明装置３０では、押圧部材４は、筐体３２の長手方向に沿って設けられた一対の弾性部４ｄを、幅方向の両側に備えていることで、実装基板２を支持部３２ｆに向かって、より均一に安定して押し圧することができる。
【００６２】
本実施形態の照明装置３０では、弾性部４ｄは、筐体３２の長手方向に沿って延びるように設けられている。弾性部４ｄは、実装基板２の厚み方向に沿って撓むように構成されたばね構造であることが好ましい。
【００６３】
本実施形態の照明装置３０は、弾性部４ｄが筐体３２の長手方向に沿って延びるように設けられ、実装基板２の厚み方向に沿って撓むように構成されることで、筐体３２の内部への実装基板２の挿入を容易にすることができる。
【００６４】
本実施形態の照明装置３０では、実装基板２は、少なくとも一対設けられており、押圧部材４は、一対の実装基板２を連結することが好ましい。
【００６５】
本実施形態の照明装置３０では、押圧部材４は、一対の実装基板２を連結することで、筐体３２の内部への一対の実装基板２の挿入及び抜去を、より容易に行うことができ、組立作業性を向上させることができる。
【００６６】
（実施形態２）
図７に示す本実施形態の冷蔵ショーケース４０は、図１に示す実施形態１の照明装置３０を備えた構成としている。なお、本実施形態の照明装置３０では、実施形態１と同様の構成要素には同一の符号を付して説明を適宜省略する。
【００６７】
本実施形態の冷蔵ショーケース４０は、スーパーマーケットやコンビニエンスストアなどの店舗に設置され、商品を陳列しながら冷蔵するように構成されている。冷蔵ショーケース４０は、前方に開放された陳列室４０ａａを有する。陳列室４０ａａには、商品を陳列するための陳列棚４１が、上下方向に間隔を空けて複数段設けられている。照明装置３０は、各陳列棚４１に陳列されている商品を、それぞれの上段の陳列棚４１の前方かつ上方から照明するように設置される。照明装置３０は、各段の陳列棚４１における前方の下面側に、図８に示す取付部材３６を用いて取り付けている。
【００６８】
本実施形態の冷蔵ショーケース４０は、図８Ａ及び図８Ｂに示すように、取付部材３６を用いて、照明装置３０が所定の場所に設置されている。取付部材３６は、固定ねじ３７により、陳列棚４１に固定されることができるように構成されている。取付部材３６は、固定板３６ａと、第１ばね片３６ｂと、第２ばね片３６ｃと、を備えている。固定板３６ａは、矩形平板状に形成されている。固定板３６ａの中央には、固定ねじ３７を挿通させるねじ挿通孔が貫通している。第１ばね片３６ｂは、長手方向から見て、Ｚ字状に形成されている。第１ばね片３６ｂは、固定板３６ａの一端部に連結されている。第１ばね片３６ｂは、第１引掛凹部３６ｄを有している。第１引掛凹部３６ｄは、第２ばね片３６ｃに対して凹むように設けられている。第２ばね片３６ｃは、固定板３６ａの一端部と反対の他端部に連結されている。第２ばね片３６ｃは、第２引掛凹部３６ｅと、第３引掛凹部３６ｆと、を有している。第２引掛凹部３６ｅと第３引掛凹部３６ｆとは、それぞれ第１ばね片３６ｂに対して凹むように設けられている。
【００６９】
照明装置３０は、図８Ａに示すように、一方の側壁３２ｃの引掛部３２ｅが、第１ばね片３６ｂにおける第１引掛凹部３６ｄに引っ掛けられる。照明装置３０は、他方の側壁３２ｃの引掛部３２ｅが、第２ばね片３６ｃにおける第２引掛凹部３６ｅに引っ掛けられて取付部材３６に取り付けられるように設置される。筐体３２は、図８Ａに示すように、底壁３２ｂに設けられた凹部３２ｇによって、固定ねじ３７の頭部３７ａとの干渉を回避することができる。
【００７０】
照明装置３０は、図８Ａに示すように取付部材３６に固定され、設置される場合だけでなく、図８Ｂに示すように設置させることもできる。図８Ｂに示す照明装置３０では、一方の側壁３２ｃの引掛部３２ｅが、第１ばね片３６ｂにおける第１引掛凹部３６ｄに引っ掛けられる。照明装置３０は、他方の側壁３２ｃの引掛部３２ｅが、第２ばね片３６ｃにおける第３引掛凹部３６ｆに引っ掛けられて、取付部材３６に取り付けられるように設置されている。
【００７１】
本実施形態の冷蔵ショーケース４０は、設置にあたって照明装置３０に外力が加わっても、押圧部材４を備えていることで、筐体３２の内部の実装基板２の撓みを抑制し、より信頼性を高めることができる。
【００７２】
本発明は、上述の実施形態に限定されず、本発明に係る技術的思想を逸脱しない範囲で、種々変更することができる。
【符号の説明】
【００７３】
１  ＬＥＤ
２  実装基板
２ａａ  第１表面
２ａｂ  第２表面
４  押圧部材
４ｄ  弾性部
３０  照明装置
３２  筐体
３２ａ  光出射部
３２ａａ  内壁面
３２ｆ  支持部
３２ｋ  規制部
【図１】
0006667157.tif 000002
【図２】
0006667157.tif 000003
【図３】
0006667157.tif 000004
【図４】
0006667157.tif 000005
【図５】
0006667157.tif 000006
【図６】
0006667157.tif 000007
【図７】
0006667157.tif 000008
【図８】
0006667157.tif 000009